(57)【要約】【課題】多数の蓄積性蛍光体パネルに対する処理を効率的に行うことができるとともに、コンパクトに構成することのできる放射線画像情報読取装置を提供する。【解決手段】カセッテ装填部３８に装填されたカセッテ１６の上部から取り出された蓄積性蛍光体パネル２２は、上部の第１保持部４２に立設状態で保持される。次いで、第１保持部４２の下部に配設された読取部４６に供給され、読取処理が行われた後、一次消去部４８において消去処理が行われ、下部の第２保持部５８に立設状態で保持される。第２保持部５８に保持された蓄積性蛍光体パネル２２は、二次消去部６０において二次消去処理が行われた後、反転機構４０によって上下が反転されて待機するカセッテ１６に収納され、外部に取り出される。【選択図】図１
2006106186.tif 000002
【特許請求の範囲】
【請求項１】
放射線画像情報の蓄積記録されたリジッド型の蓄積性蛍光体パネルを保持するカセッテが立設状態で装填されるカセッテ装填部と、
前記カセッテ装填部に装填された前記カセッテから離脱された前記蓄積性蛍光体パネルを立設状態で複数保持可能な第１保持部と、
前記第１保持部から供給される前記蓄積性蛍光体パネルに対して励起光を照射し、得られた輝尽発光光を光電的に読み取ることで前記放射線画像情報を取得する読取部と、
前記蓄積性蛍光体パネルに消去光を照射して残存する放射線画像情報を消去する消去部と、
前記放射線画像情報の消去された前記蓄積性蛍光体パネルを立設状態で複数保持可能な第２保持部と、
を備え、前記第２保持部から供給される前記蓄積性蛍光体パネルを前記カセッテに保持させて排出することを特徴とする放射線画像情報読取装置。
【請求項２】
請求項１記載の装置において、
前記第１保持部及び前記第２保持部は、前記カセッテ装填部の上下に配設され、前記蓄積性蛍光体パネルは、前記第２保持部から前記カセッテ装填部に装填された前記カセッテに供給されることを特徴とする放射線画像情報読取装置。
【請求項３】
請求項２記載の装置において、
前記カセッテは、一端部側より前記蓄積性蛍光体パネルを挿脱可能に構成され、
前記カセッテ装填部は、装填された前記カセッテの上下を反転させる反転機構を備えることを特徴とする放射線画像情報読取装置。
【請求項４】
請求項２記載の装置において、
前記カセッテは、両端部側より前記蓄積性蛍光体パネルを挿脱可能に構成されることを特徴とする放射線画像情報読取装置。
【請求項５】
請求項１記載の装置において、
前記カセッテは、前記蓄積性蛍光体パネルを支持する支持台と、前記蓄積性蛍光体パネルを介して前記支持台に着脱自在な蓋部材とから構成され、前記蓋部材を前記支持台から離脱させた前記蓄積性蛍光体パネルを前記第１保持部に供給することを特徴とする放射線画像情報読取装置。
【請求項６】
請求項１記載の装置において、
前記第２保持部から供給される前記蓄積性蛍光体パネルを前記カセッテに保持させて排出するカセッテ排出部を備えることを特徴とする放射線画像情報読取装置。
【請求項７】
請求項１記載の装置において、
前記第２保持部に保持された前記蓄積性蛍光体パネルに残存する放射線画像情報を消去する二次消去部を備えることを特徴とする放射線画像情報読取装置。
【発明の詳細な説明】
【技術分野】
【０００１】
本発明は、カセッテに保持された蓄積性蛍光体パネルに蓄積記録された放射線画像情報を読み取った後、残存する放射線画像情報を消去して排出する放射線画像情報読取装置に関する。
【背景技術】
【０００２】
従来から、照射された放射線エネルギの一部を蓄積する一方、可視光等の励起光を照射することにより、蓄積された放射線エネルギに応じて輝尽発光する蓄積性蛍光体パネルを用いた放射線画像情報読取装置が知られている。
【０００３】
放射線画像情報読取装置は、例えば、人体等の被写体の放射線画像情報が蓄積記録された蓄積性蛍光体パネルを保持したカセッテが装填されるカセッテ装填部と、カセッテから分離された蓄積性蛍光体パネルに励起光を照射して放射線画像情報を読み取る読取部と、放射線画像情報の読み取られた蓄積性蛍光体パネルに消去光を照射して残存する放射線画像情報を消去する消去部と、消去処理の終了した蓄積性蛍光体パネルをカセッテに保持させて排出するカセッテ排出部とを備えて構成される（例えば、特許文献１参照）。
【０００４】
【特許文献１】特開２００２−１５６７１６号公報
【発明の開示】
【発明が解決しようとする課題】
【０００５】
ところで、特許文献１に開示された装置では、１つのカセッテを装置内に取り込んで蓄積性蛍光体パネルを分離させた後、当該カセッテを装置内に待機させ、読取処理及び消去処理が終了した蓄積性蛍光体パネルを待機するカセッテに保持させて排出させているため、１枚の蓄積性蛍光体パネルに対する処理が終了するまで次のカセッテを装填することができない。従って、多数の蓄積性蛍光体パネルに対する処理を効率的に行うことができないという不具合が指摘されている。
【０００６】
本発明は、前記の不具合に鑑みなされたもので、多数の蓄積性蛍光体パネルに対する処理を効率的に行うことができるとともに、コンパクトに構成することのできる放射線画像情報読取装置を提供することを目的とする。
【課題を解決するための手段】
【０００７】
前記の目的を達成するために、本発明は、カセッテ装填部にリジッド型の蓄積性蛍光体パネルを保持するカセッテを立設状態で装填した後、カセッテから離脱された蓄積性蛍光体パネルを一旦第１保持部に保持させる。次いで、第１保持部から蓄積性蛍光体パネルを読取部に供給し、励起光を蓄積性蛍光体パネルに照射することで得られた輝尽発光光を光電的に読み取り、放射線画像情報を取得する。放射線画像情報の読み取られた蓄積性蛍光体パネルは、消去部において消去光が照射され、残存する放射線画像情報が消去された後、第２保持部に保持される。そして、蓄積性蛍光体パネルは、第２保持部からカセッテに保持されて排出される。
【０００８】
この場合、第１保持部及び第２保持部に対して複数の蓄積性蛍光体パネルを保持させることができるため、多数の蓄積性蛍光体パネルに対する処理を効率的に遂行することができる。また、カセッテ装填部、第１保持部及び第２保持部に対してカセッテ及び蓄積性蛍光体パネルを立設状態で保持させる構成とすることで、当該装置による占有床面積を増大させることなく、多数の蓄積性蛍光体パネルを収納して処理することができる。
【０００９】
なお、第１保持部及び第２保持部をカセッテ装填部の上下に配設することで、カセッテ装填部を共通化してカセッテの装填及び排出を行うことができる。一端部側からのみ蓄積性蛍光体パネルを挿脱する構成からなるカセッテの場合には、カセッテを反転させるカセッテ反転機構をカセッテ装填部に配設することにより、上下の第１保持部及び第２保持部とカセッテ装填部との間で蓄積性蛍光体パネルの授受を行うことができる。また、両端部側から蓄積性蛍光体パネルを挿脱できる構成からなるカセッテの場合には、カセッテ装填部にカセッテ反転機構を設けることなく蓄積性蛍光体パネルを授受することができる。
【００１０】
さらに、カセッテ装填部には、蓄積性蛍光体パネルを支持する支持台と、蓄積性蛍光体パネルを介して前記支持台に着脱自在な蓋部材とから構成されるカセッテを装填して処理することができる。
【００１１】
さらにまた、カセッテ装填部と独立にカセッテ排出部を配設し、第２保持部に保持された蓄積性蛍光体パネルをカセッテ排出部に配設されたカセッテに保持させて排出するように構成することもできる。
【００１２】
また、第２保持部に保持された蓄積性蛍光体パネルに残存する放射線画像情報を消去する二次消去部を配設し、この二次消去部において、蓄積性蛍光体パネルを第２保持部から排出する直前に二次消去を行うことにより、残存する放射線画像情報が確実に消去された蓄積性蛍光体パネルをカセッテに保持させて排出することができる。
【発明の効果】
【００１３】
本発明の放射線画像情報読取装置では、装置内に複数の蓄積性蛍光体パネルを保持させ、それらの蓄積性蛍光体パネルに対する読取処理及び消去処理を極めて効率的に行うことができる。また、カセッテ及び蓄積性蛍光体パネルを装置内に立設状態で装填して保持させることにより、装置を大型化することなく多数の蓄積性蛍光体パネルを保持させることができる。
【発明を実施するための最良の形態】
【００１４】
図１は、第１実施形態に係る放射線画像情報読取装置１０の構成図である。
【００１５】
放射線画像情報読取装置１０は、図２に示すカセッテ１６に収納された蓄積性蛍光体パネル２２に記録された放射線画像情報を読み取った後、残存する放射線画像情報を消去し、カセッテ１６に収納して排出する機能を備える。
【００１６】
ここで、カセッテ１６は、一端部に蓄積性蛍光体パネル２２を挿脱するための開口部２４を有し、他端部にカセッテ１６から蓄積性蛍光体パネル２２を排出させるための図示しない排出ピンを挿入する挿入孔２６ａ、２６ｂを有する。また、カセッテ１６の開口部２４寄りの両側面には、カセッテ１６に対して蓄積性蛍光体パネル２２を保持させるための保持孔３０ａ、３０ｂが形成される。
【００１７】
カセッテ１６に収納される蓄積性蛍光体パネル２２には、例えば、ガラス等の透明な硬質材料からなる支持基板３２に柱状の蓄積性蛍光体層３４を蒸着して形成されるリジッド型のパネルが用いられる。なお、蓄積性蛍光体層３４は、真空容器内で蓄積性蛍光体を加熱して蒸発させ、これらを支持基板３２上に付着させる真空蒸着法、スパッタリング法、ＣＶＤ、イオンフレーティング法を用いて形成することができる。このようにして形成される蓄積性蛍光体層３４は、蛍光体が蓄積性蛍光体パネル２２の平面と略垂直な柱状をなし、それぞれが光学的に独立に構成されており、照射される放射線に対して高感度で、且つ、画像の粒状性を低下させることができるとともに、励起光の散乱を減少させて画質を鮮明にすることができる。
【００１８】
蓄積性蛍光体パネル２２の両側部には、保持用板ばね３６ａ、３６ｂが取着されており、蓄積性蛍光体パネル２２をカセッテ１６に挿入した際、これらの保持用板ばね３６ａ、３６ｂがカセッテ１６の保持孔３０ａ、３０ｂに係止する。これにより、蓄積性蛍光体パネル２２をカセッテ１６に固定保持させることができる。また、これらの保持孔３０ａ、３０ｂに図示しないロック解除ピンを挿入することにより、蓄積性蛍光体パネル２２の係止を解除することができる。
【００１９】
放射線画像情報読取装置１０を構成する筐体３７の内部には、カセッテ１６が立設状態で装填されるカセッテ装填部３８が配設される。カセッテ装填部３８は、装填されたカセッテ１６を矢印方向に１８０゜旋回させて上下を反転させる反転機構４０を備える。
【００２０】
カセッテ装填部３８の上部には、カセッテ１６から離脱されて供給される蓄積性蛍光体パネル２２を立設状態で複数枚保持可能な第１保持部４２が配設される。第１保持部４２は、保持した複数枚の蓄積性蛍光体パネル２２を横方向に順次シフトする機能を備える。
【００２１】
第１保持部４２によりシフトされた蓄積性蛍光体パネル２２の終端部の下部には、蓄積性蛍光体パネル２２に蓄積記録された放射線画像情報を読み取る読取部４６と、蓄積性蛍光体パネル２２に残存する放射線画像情報を消去する一次消去部４８とが配設される。
【００２２】
読取部４６は、蓄積性蛍光体パネル２２を挟持して下方向に副走査搬送するパネル搬送機構５０と、パネル搬送機構５０によって搬送される蓄積性蛍光体パネル２２に対して、レーザビームからなる励起光Ｌを主走査方向に照射する励起光走査部５２と、励起光Ｌが照射されることで蓄積性蛍光体パネル２２から得られる輝尽発光光Ｒを電気信号に変換するフォトマルチプライア、ＣＣＤラインセンサ等からなる光電変換部５４とを備える。
【００２３】
一次消去部４８は、パネル搬送機構５０によって搬送される蓄積性蛍光体パネル２２に対して消去光Ｑを照射することで、蓄積性蛍光体パネル２２に残存する放射線画像情報を消去するハロゲンランプ、冷陰極管等からなる複数の消去光源５６を有する。
【００２４】
一次消去部４８の下部には、放射線画像情報の消去された蓄積性蛍光体パネル２２を立設状態で複数枚保持可能な第２保持部５８が配設される。第２保持部５８は、保持した複数枚の蓄積性蛍光体パネル２２を第１保持部４２とは反対の横方向に順次シフトする機能を備える。
【００２５】
第２保持部５８によりシフトされた蓄積性蛍光体パネル２２の終端部の上部には、蓄積性蛍光体パネル２２に残存する放射線画像情報を消去する二次消去部６０が配設される。二次消去部６０は、蓄積性蛍光体パネル２２に消去光Ｑを照射する消去光源６２を有する。二次消去部６０に上部には、カセッテ装填部３８が配設される。
【００２６】
第１実施形態に係る放射線画像情報読取装置１０は、基本的には以上のように構成されるものであり、次にその動作について説明する。
【００２７】
ユーザは、放射線画像情報が記録された蓄積性蛍光体パネル２２を収納したカセッテ１６を、開口部２４を上としてカセッテ装填部３８に装填する。カセッテ１６が装填された後、保持孔３０ａ、３０ｂに対して図示しないロック解除ピンが挿入される。これにより、保持用板ばね３６ａ、３６ｂの保持孔３０ａ、３０ｂに対する係止状態が解除される。次いで、カセッテ１６の下端部の挿入孔２６ａ、２６ｂに図示しない排出ピンが挿入されることで、カセッテ１６に保持されている蓄積性蛍光体パネル２２が上方向に排出される。
【００２８】
カセッテ１６から排出された蓄積性蛍光体パネル２２は、上部の第１保持部４２に供給された後、第１保持部４２内において図１に示す矢印方向に順次シフトされて保持される。一方、蓄積性蛍光体パネル２２を排出したカセッテ１６は、反転機構４０によって矢印方向に１８０゜旋回され、上下が反転される。
【００２９】
上下が反転されることで開口部２４が下方向に配置されたカセッテ１６には、後述する処理の完了した蓄積性蛍光体パネル２２が第２保持部５８から供給されて収納される。蓄積性蛍光体パネル２２を収納したカセッテ１６がカセッテ装填部３８から取り出されると、放射線画像情報の記録された蓄積性蛍光体パネル２２を収納する次のカセッテ１６がカセッテ装填部３８に装填され、同様の処理が継続される。
【００３０】
このようにして、第１保持部４２には、カセッテ１６から排出された複数の蓄積性蛍光体パネル２２を保持させることができる。また、第１保持部４２では、蓄積性蛍光体パネル２２が立設状態で保持されるため、放射線画像情報読取装置１０の幅を増大させることなく多数の蓄積性蛍光体パネル２２を装置内に保持させることができる。
【００３１】
一方、第１保持部４２に保持された蓄積性蛍光体パネル２２は、その終端部から下部に配設される読取部４６及び一次消去部４８に順次供給され、読取処理及び消去処理が行われる。
【００３２】
すなわち、蓄積性蛍光体パネル２２は、読取部４６において、パネル搬送機構５０によって下方向に副走査搬送される一方、励起光走査部５２からの励起光Ｌによって主走査され、輝尽発光光Ｒが得られる。この輝尽発光光Ｒは、光電変換部５４によって電気信号に変換されることで、放射線画像情報が得られる。放射線画像情報が読み取られた蓄積性蛍光体パネル２２は、一次消去部４８において、消去光源５６から出力された消去光Ｑが蓄積性蛍光体パネル２２に照射されることにより、残存する放射線画像情報が消去される。
【００３３】
消去処理が完了した蓄積性蛍光体パネル２２は、一次消去部４８の下部に配設される第２保持部５８に供給された後、第２保持部５８内において図１に示す矢印方向に順次シフトされて保持される。この場合、第２保持部５８には、蓄積性蛍光体パネル２２が立設状態で保持されるため、第１保持部４２と同様に、放射線画像情報読取装置１０の幅を増大させることなく多数の蓄積性蛍光体パネル２２を装置内に保持させることができる。
【００３４】
第２保持部５８に保持された蓄積性蛍光体パネル２２は、開口部２４を下方向に設定した状態でカセッテ装填部３８に待機するカセッテ１６に対して、第２保持部５８の終端部から二次消去部６０を介して収納される。
【００３５】
この場合、第２保持部５８には、一次消去部４８で消去処理が終了してから長時間経過した蓄積性蛍光体パネル２２が保持されている可能性がある。このような蓄積性蛍光体パネル２２には、一次消去部４８で消去処理が終了している場合であっても、内部に残存している放射線画像情報や周囲環境からの放射線の影響によりノイズが発生しているおそれがある。そこで、二次消去部６０は、カセッテ１６に蓄積性蛍光体パネル２２を収納する直前において、消去光源６２より蓄積性蛍光体パネル２２に消去光Ｑを照射し、残存するノイズの除去処理を行う。
【００３６】
二次消去が終了した蓄積性蛍光体パネル２２を収納したカセッテ１６は、放射線画像情報読取装置１０から取り出された後、次の撮影に供せられる。
【００３７】
図３は、第２実施形態に係る放射線画像情報読取装置７０の構成図である。なお、第１実施形態に係る放射線画像情報読取装置１０と同一の構成要素には、同一の参照符号を付し、その詳細な説明を省略する。
【００３８】
放射線画像情報読取装置７０では、図４に示す構成からなるカセッテ７２がカセッテ装填部７３に装填され、収納されたリジッド型の蓄積性蛍光体パネル７５に対する処理が行われる。なお、カセッテ装填部７３は、放射線画像情報読取装置１０のカセッテ装填部３８における反転機構４０を備えていない。
【００３９】
カセッテ７２は、蓄積性蛍光体パネル７５を収納する本体部７４と、本体部７４の両端部側に開閉自在に配設される蓋部材７６ａ、７６ｂとを備えて構成される。本体部７４の両端部には、各蓋部材７６ａ、７６ｂに対応して孔部７８ａ、７８ｂ及び８０ａ、８０ｂが形成され、これらの孔部７８ａ、７８ｂ及び８０ａ、８０ｂに図示しないロック解除ピンを挿入することにより、本体部７４に対する蓋部材７６ａ、７６ｂのロック状態が解除され、開口部８２ａ、８２ｂが開成される。
【００４０】
蓄積性蛍光体パネル７５を収納したカセッテ７２がカセッテ装填部７３に装填されると、上部に配置される孔部７８ａ、７８ｂに図示しないロック解除ピンが挿入される。これにより、上部の蓋部材７６ａのロック状態が解除され、上部の開口部８２ａが開成される。次いで、開口部８２ａから蓄積性蛍光体パネル７５が取り出され、上部の第１保持部４２に供給される。なお、蓋部材７６ａは、蓄積性蛍光体パネル７５を排出した後、閉塞される。
【００４１】
第１保持部４２に保持された蓄積性蛍光体パネル７５は、放射線画像情報読取装置１０の場合と同様に、読取部４６及び一次消去部４８に供給されて読取処理及び消去処理が行われ後、第２保持部５８に供給される。
【００４２】
一方、カセッテ装填部７３に装填されたカセッテ７２の下部に配置される孔部８０ａ、８０ｂに図示しないロック解除ピンが挿入されると、下部の蓋部材７６ｂのロック状態が解除され、下部の開口部８２ｂが開成される。
【００４３】
そこで、第２保持部５８に保持された蓄積性蛍光体パネル７５は、二次消去部６０によって残存する放射線画像情報及びノイズが消去された後、開口部８２ｂからカセッテ７２に収納される。この場合、カセッテ装填部７３では、カセッテ７２を旋回させることなく、蓄積性蛍光体パネル７５をカセッテ７２に収納することができる。次いで、蓋部材７６ｂが閉塞され、カセッテ７２が取り出される。
【００４４】
図５は、第３実施形態に係る放射線画像情報読取装置９０の構成図である。なお、第１実施形態に係る放射線画像情報読取装置１０と同一の構成要素には、同一の参照符号を付し、その詳細な説明を省略する。
【００４５】
放射線画像情報読取装置９０は、図２に示す構成からなるカセッテ１６が装填されるカセッテ装填部９２と、カセッテ装填部９２の下部に配設され、蓄積性蛍光体パネル２２を複数枚保持可能な第１保持部４２と、第１保持部４２の下部に配設され、蓄積性蛍光体パネル２２に記録された放射線画像情報の読取処理及び消去処理を行う読取部４６及び一次消去部４８と、第１保持部４２に並設され、放射線画像情報が一次消去された蓄積性蛍光体パネル２２を複数枚保持可能な第２保持部５８と、第２保持部５８の上部に配設される二次消去部６０と、二次消去部６０の上部に配設され、蓄積性蛍光体パネル２２を収納したカセッテ１６を排出するカセッテ排出部９４とを備える。
【００４６】
カセッテ装填部９２に開口部２４を下としてカセッテ１６が装填された後、カセッテ１６から排出された蓄積性蛍光体パネル２２は、一旦、第１保持部４２に保持された後、読取部４６に供給されて読取処理が行われ、次いで、一次消去部４８に供給され、残存する放射線画像情報の消去処理が行われる。
【００４７】
一方、カセッテ装填部９２において蓄積性蛍光体パネル２２を排出したカセッテ１６は、矢印で示す横方向に搬送され、カセッテ排出部９４に配設されて待機する。
【００４８】
一次消去部４８によって消去処理が行われた蓄積性蛍光体パネル２２は、一旦、第２保持部５８に保持された後、二次消去部６０を介してカセッテ排出部９４に待機するカセッテ１６に収納される。そして、蓄積性蛍光体パネル２２を収納したカセッテ１６がカセッテ排出部９４から取り出され、次の撮影に供せられる。
【００４９】
なお、第１〜３実施形態における放射線画像情報読取装置１０、７０、９０には、図６に示す構成からなるカセッテ１００を適用することもできる。第１実施形態の放射線画像情報読取装置１０にカセッテ１００を適用する場合、カセッテ装填部３８においてカセッテ１００の上下を反転させる反転機構４０は不要である。
【００５０】
カセッテ１００は、リジッド型の蓄積性蛍光体パネル１０２を支持する支持台１０４と、蓄積性蛍光体パネル１０２を保護する蓋部材１０６とから構成される。蓋部材１０６は、爪部材１０８ａ〜１０８ｄが支持台１０４の係合部１１０ａ〜１１０ｄに係合することで連結される。
【００５１】
カセッテ１００は、放射線画像情報読取装置１０のカセッテ装填部３８、放射線画像情報読取装置７０のカセッテ装填部７３、又は、放射線画像情報読取装置９０のカセッテ装填部９２に装填された後、例えば、蓋部材１０６に設けられた凸部１１２ａ、１１２ｂを図示しない開蓋機構によって押圧することにより、蓋部材１０６が支持台１０４から離脱される。蓋部材１０６が離脱された蓄積性蛍光体パネル１０２は、支持台１０４とともに第１保持部４２に一旦保持された後、読取部４６及び一次消去部４８を介して第２保持部５８に供給され、次いで、放射線画像情報読取装置１０のカセッテ装填部３８、放射線画像情報読取装置７０のカセッテ装填部７３、又は、放射線画像情報読取装置９０のカセッテ排出部９４に排出され、待機する蓋部材１０６に係合されて取り出される。
【００５２】
なお、本発明は、上述した実施形態に限定されるものではなく、本発明の主旨を逸脱しない範囲で自由に変更できることは勿論である。
【図面の簡単な説明】
【００５３】
【図１】第１実施形態に係る放射線画像情報読取装置の構成図である。
【図２】第１実施形態に係る放射線画像情報読取装置に適用されるカセッテの構成図である。
【図３】第２実施形態に係る放射線画像情報読取装置の構成図である。
【図４】第２実施形態に係る放射線画像情報読取装置に適用されるカセッテの構成図である。
【図５】第３実施形態に係る放射線画像情報読取装置の構成図である。
【図６】第１〜３実施形態に係る放射線画像情報読取装置に適用可能なカセッテの構成図である。
【符号の説明】
【００５４】
１０、７０、９０…放射線画像情報読取装置    １６、７２、１００…カセッテ
２２、７５、１０２…蓄積性蛍光体パネル      ３８、７３、９２…カセッテ装填部
４０…反転機構                              ４２…第１保持部
４６…読取部                                ４８…一次消去部
５８…第２保持部                            ６０…二次消去部
９４…カセッテ排出部
【図１】
2006106186.tif 000003
【図２】
2006106186.tif 000004
【図３】
2006106186.tif 000005
【図４】
2006106186.tif 000006
【図５】
2006106186.tif 000007
【図６】
2006106186.tif 000008